(57)【要約】【課題】受水を確実に行うことを可能とする【解決手段】受水袋４が、上底が下に凸の円弧状曲線となっている略台形形状の複数の壁面シート４ａと、底面開窓部４ｂを有し且つ当該壁面シート４ａの枚数と同数の辺を有する略正多角形状から成る底面シート４ｃと、開口部４ｄを形成するための円形の硬質スポンジ４ｅとから成り、前記各壁面シート４ａの内の隣接する壁面シート４ａ同士の斜辺部分を接着させた状態で各壁面シート４ａの下底部分を底面シート４ｃの各辺部分に配設し、この配設によって各壁面シート４ａの円弧状曲線状の上底部分により形成された円形状の開口部４ｄに前記硬質スポンジ４ｅを接着することにより、立体的形状と平面的形状とに形状可変に形成されてなる。【選択図】  図１
2004159977.tif 000002
【特許請求の範囲】
【請求項１】
患者の全身を覆い得る程度の大きさを有する基布と、患者の切開箇所を露出させるために前記基布に設けられた基布開窓部と、血液，体液，生理食塩水等の液体を受水するため前記基布開窓部上に備えられた受水袋と、から構成され、
前記受水袋は、立体的形状と平面的形状とに形状可変に構成されていることを特徴とする受水袋付き医療用ドレープ。
【請求項２】
前記受水袋は、
上底が下に凸の円弧状曲線となっている略台形形状の複数の壁面シートと、当該受水袋を前記基布開窓部上に備えた際に前記基布開窓部上に位置する底面開窓部を有し、当該壁面シートの枚数と同数の辺を有する略正多角形状から成る底面シートと、当該受水袋の開口部を形成するための円形の硬質スポンジと、から成り、
前記各壁面シートの内の隣接する壁面シート同士の斜辺部分を接着させた状態で各壁面シートの下底部分を底面シートの各辺部分に配設し、この配設によって各壁面シートの円弧状曲線状の上底部分により形成された円形状の開口部に前記硬質スポンジを接着することにより形成されてなることを特徴とする請求項１に記載の受水袋付き医療用ドレープ。
【請求項３】
前記受水袋は、
上底が下に凸の円弧状曲線となっている略台形形状の複数の壁面シートと、当該受水袋の開口部を形成するための円形の硬質スポンジと、から成り、
前記各壁面シートの内の隣接する壁面シート同士の斜辺部分を接着させた状態で、各壁面シートの下底部分を前記基布開窓部を囲うように前記基布に配設し、この配設によって各壁面シートの円弧状曲線状の上底部分により形成された円形状の開口部に前記硬質スポンジを接着することにより形成されてなることを特徴とする請求項１に記載の受水袋付き医療用ドレープ。
【請求項４】
前記受水袋は、上面に開口部を有し且つ下面に開窓部を有する中空の円錐台形状であることを特徴とする請求項１に記載の受水袋付き医療用ドレープ。
【発明の詳細な説明】
【０００１】
【発明の属する技術分野】
本発明は、手術時に患者の手術（切開）箇所以外の部分を覆うための医療用ドレープに係り、特に手術箇所から流出した体液等を収容する受水袋を開窓部の周囲に設けた受水袋付き医療用ドレープに関するものである。
【０００２】
【従来の技術】
従来、医療用ドレープは、手術の際に飛散する血液、体液、生理食塩水等の液体をバリアする等のため、手術時に患者に被せられるものであるが、この医療用ドレープには、患者の切開箇所を露出させるための開窓部が設けられており、術野の確保が図られている。また、このような医療用ドレープで患者を覆うことによって、術野以外の不潔部分がドレープで覆われるため、手術時において術野が清潔に保たれている。
【０００３】
ところで、例えば婦人科の帝王切開手術や脳外科手術のように、手術時に患者の手術（切開）箇所から血液，体液が多量に流出する手術あるいは生理食塩水を多量に使用する手術を行う場合、開窓部から流出した多量の液を床に零れないようにする必要がある。そこで、上述のような手術の際に用いられる医療用ドレープには、上記液体を受ける袋（以下、受水袋という）が設けられている。このような受水袋を具備する医療用ドレープに関しては、次の先行技術文献に係る発明がある。
【０００４】
【特許文献１】
特開平８−４７４９９号公報
【０００５】
【発明が解決しようとする課題】
しかしながら、上記従来技術のような受水袋を具備する医療用ドレープにおいて、患者にドレープを被せた状態での受水袋の大半は手術時において常に平面的な形状となってしまうため、血液等の飛散、あるいは一時に多量の体液，生理食塩水等の流出が生じた場合には、これらの液が受水袋の中に完全に収容されずに受水袋の開口部の上を伝って零れてしまうことが起こり、その結果、流出液の全てを確実に受けて当該受水袋内に収容することができないといった問題が生じていた。
【０００６】
そこで本発明の目的は、上記問題点を解決し、開窓部周辺に設けられた受水袋によって、手術時に流出する液を全て収容することを可能とする受水袋付き医療用ドレープを提供することにある。
【０００７】
【課題を解決するための手段】
上記目的を達成するため、本発明の受水袋付き医療用ドレープは、患者の全身を覆い得る程度の大きさを有する基布と、患者の切開箇所を露出させるために前記基布に設けられた基布開窓部と、血液，体液，生理食塩水等の液体を受水するため前記基布開窓部上に備えられた受水袋と、から構成され、前記受水袋は、立体的形状と平面的形状とに形状可変に構成されている。
【０００８】
ここで、本発明の受水袋付き医療用ドレープにおける第一の受水袋は、上底が下に凸の円弧状曲線となっている略台形形状の複数の壁面シートと、当該受水袋を前記基布開窓部上に備えた際に前記基布開窓部上に位置する底面開窓部を有し、当該壁面シートの枚数と同数の辺を有する略正多角形状から成る底面シートと、当該受水袋の開口部を形成するための円形の硬質スポンジと、から成り、前記各壁面シートの内、隣接する壁面シート同士の斜辺部分を接着させた状態で各壁面シートの下底部分を底面シートの各辺部分に配設し、この配設によって各壁面シートの円弧状曲線状の上底部分により形成された円形状の開口部に前記硬質スポンジを接着することにより形成されてなるものである。
【０００９】
また、本発明の受水袋付き医療用ドレープにおける第二の受水袋は、上底が下に凸の円弧状曲線となっている略台形形状の複数の壁面シートと、当該受水袋の開口部を形成するための円形の硬質スポンジと、から成り、前記各壁面シートの内の隣接する壁面シート同士の斜辺部分を接着させた状態で、各壁面シートの下底部分を前記基布開窓部を囲うように前記基布に配設し、この配設によって各壁面シートの円弧状曲線状の上底部分により形成された円形状の開口部に前記硬質スポンジを接着することにより形成されてなる。
【００１０】
また、本発明の受水袋付き医療用ドレープにおける第三の受水袋は、上面に開口部を有し且つ下面に開窓部を有する中空の円錐台形状である。
【００１１】
【発明の実施の形態】
本発明の一実施形態による受水袋付き医療用ドレープ１について、図１及び図２を参照して説明する。図１は本発明の一実施形態に係る受水袋付き医療用ドレープ１の構成を示す図であり、図２は第一実施形態に係る受水袋付き医療用ドレープ１における受水袋の構成を示す図である。
【００１２】
［第一実施形態］
まず、第一実施形態に係る受水袋付き医療用ドレープ１の構成について説明する。本実施形態の受水袋付き医療用ドレープ１には、患者の全身を覆い得る程度の大きさを有する基布２に基布開窓部３が設けられ、さらにこの基布開窓部３の上方を覆うように受水袋４が設けられている。以下、受水袋付き医療用ドレープ１の各構成要素について説明する。
【００１３】
前記基布２は、菌やウィルスに対してバリヤー性が高く且つ撥水加工が施された不織布、あるいは完全防水性であるフィルムから成るものである。
【００１４】
前記基布開窓部３の周辺には、下面に粘着材の付いたフィルム（図示せず）が設けられている。また前記基布開窓部３の形状は、図１及び図３に示すように、各辺が外側に凸の円弧状曲線の略三角形形状となることが好ましい。この構成によれば、略三角形形状は複数の切開方法（患者に対して縦方向の切開，あるいは横方向の切開）に対応可能な形状であるばかりでなく、立体的（略球面状）になっている患者の皮膚に当該基布開窓部を隙間無く固定するのに効果的な形状であるため、前記粘着材によって当該基布開窓部を患者の皮膚に確実に固定できることとなる。
【００１５】
前記受水袋４は、上底が下に凸の円弧状曲線となっている略台形形状の４枚の壁面シート４ａと、開窓部（以下、底面開窓部という）４ｂを有する略正方形状の底面シート４ｃと、受水袋４の上方に開口部４ｄを形成するための円形の硬質スポンジ４ｅとから成る。ここで、前記各壁面シート４ａは、図１及び図２のように、それぞれ隣接する壁面シート４ａ同士の斜辺部分が接着した状態で、各壁面シート４ａの下底部分が底面シート４ｃの各辺部分に配設されている。このように配設されることで、各壁面シート４ａの円弧状曲線状の上底部分が受水袋４の上方に円形状の開口部４ｄを形成することとなる。そこで、上述の如く形成された円形状の開口部４ｄに前記硬質スポンジ４ｅを接着することにより、円形が保持され且つ型くずれしない受水袋４の開口部４ｄが形成される。
【００１６】
また、前記底面シート４ｃの下面には粘着材が付いており、基布開窓部３を覆うように当該受水袋４を基布２の上面に貼着させることで、図１のような受水袋付き医療用ドレープ１が構成されている。
【００１７】
尚、前記円形硬質スポンジ４ｅは、例えばポリエチレン，ポリウレタン，シリコーンのような弾力性のあるプラスチック発泡体から成るものである。また、上記のような素材から成る硬質スポンジを円形状に成形して得られる円形硬質スポンジのみならず、１本の棒状の硬質スポンジの両端を接続して円形状に形成させたもの，もしくは２本の棒状硬質スポンジの両端をそれぞれ接続して円形状に一体化させたものを用いても良い。以上のような硬質スポンジ４ｅの使用により、受水袋４の開口部４ｄは、外力を加えることによって変形可能であり且つ加えられた外力を開放することによって元の円形に戻ることが可能な構成となる。
【００１８】
また、前記壁面シート４ａは、例えばポリエチレンやナイロンといった弾性のあるシート状の素材から成るものである。ここでいう「弾性のある」とは、具体的には前記素材により作製された壁面シート４ａを手で垂直方向に持った時に当該壁面シート４ａが自重で垂れることがない程度の弾性があればよい。尚、上記のような条件に該当しない素材であっても、例えばアルミニウムのように、変形可能な素材を使用することによっても同様の効果を得ることができる。
【００１９】
次に、以上のような各構成要素から成る受水袋付き医療用ドレープ１を用いた手術の手順について、以下説明する。
【００２０】
まず、受水袋付き医療用ドレープ１を展開すると、その展開した受水袋付き医療用ドレープ１における受水袋４は、図３のように上側から押し潰された平面的な形状となっている。
【００２１】
医療従事者は、受水袋４が上記のような平面的形状の状態である医療用ドレープ１を患者に被せ、基布開窓部３から露出された手術箇所の切開や剥離などといった手術の処置を行う。この時、受水袋４は図３のような平面的形状であるため、医療従事者の手技の邪魔になること無く、手術は円滑に進行される。
【００２２】
そして手術の進行上、多量の体液や血液等の飛散が予想される場合、あるいは生理食塩水等を用いて手術箇所を洗浄する場合には、医療従事者は平面的形状となっている受水袋４の開口部４ｄを把持して上方へ動かし、受水袋４を図１のような立体的形状に形成させる。以上のように立体的形状とすることにより、多量の体液や血液，あるいは生理食塩水等を確実に受水することが可能となる。
【００２３】
以上のような立体的形状に形成した受水袋４によって体液，血液あるいは生理食塩水等を完全に受水し、収容した液体を受水袋４の内部から外部へ除去した後、医療従事者によって当該受水袋４を図３のような平面的形状に再度押し潰して平面的形状とし、しかる後に切開部分の縫合等の後処理を行い、手術が終了となる。この後処理時においても、受水袋４は平面的形状となっているため、この受水袋４が後処理を行う医療従事者の手技の邪魔になることは無い。尚、収容した液体を受水袋４の内部から外部へ除去する方法としては、受水袋４の開口部４ｄからチューブ等を袋内に挿入し、そのチューブ等を介して排出する方法や、図４のように受水袋４の底面シート４ｃの周縁（図４では２個の隅角部）に設けられた少なくとも１個（図４では２個）のポート状の排出手段５を介して排出する方法などが挙げられる。
【００２４】
このように、本実施形態に係る受水袋付き医療用ドレープ１によれば、手術時に患者の手術（切開）箇所から血液，体液が多量に流出する手術あるいは生理食塩水を多量に使用する手術を行う場合にも、状況に応じて当該受水袋４を立体的形状にすることにより、上記液体の受水を確実に行うことが可能となる。
【００２５】
また、この受水袋４は医療従事者が上方から押し潰すことで平面的形状にすることができるため、医療従事者の手技の邪魔になることは無く、よって手術の円滑な進行を妨げることもない。
【００２６】
尚、上記実施形態における受水袋４は、４枚の壁面シート４ａを用いて構成されているが、壁面シートの枚数はこれに限定されるものではなく、最低２枚の壁面シートと、当該壁面シートの枚数と同数の辺を有する略正多角形状の底面シートとを用いて上述の如く構成することによっても、上記と同様の立体的形状の受水袋を構成することができる。勿論、この略正多角形状の底面シートには、底面開窓部が設けられていることは言うまでもない。
【００２７】
また、本実施形態に係る受水袋付き医療用ドレープ１において、受水袋４は図２のような構成となっているが、図５のような円錐台形状の受水袋４０としても良い。この円錐台形状の受水袋４０は、同心円状の円形孔を有する１枚の円形の壁面シート４０ａと、底面開窓部４０ｂを有する円形の底面シート４０ｃと、受水袋４０の上方に開口部４０ｄを形成するための円形の硬質スポンジ４０ｅとから成り、円形の壁面シート４０ａの周縁と底面シート４０ｃの周縁とを固着させることによって、この壁面シート４０ａの円形孔が受水袋４０の上方に受水袋４０の円形の開口部４０ｄを形成させ、さらに形成された開口部４０ｄに前記硬質スポンジ４０ｅを接着することにより、円形が保持され且つ型くずれしない受水袋４０の開口部４０ｄが形成される。また、前記底面シート４０ｃの下面には粘着剤が付いており、当該受水袋４０を基布開窓部３を覆うように当該受水袋４０を基布２の上面に貼着させることで受水袋付き医療用ドレープが構成されることとなる。尚、このような円錐台形状の受水袋４０においても、上述と同様に、底面シート４０ｃの周縁に少なくとも１個のポート状の排出手段を設けても良い。
【００２８】
以上のような構成によって得られる、上面が開口し且つ下面に底面開窓部を有する中空の円錐台形状の受水袋によっても、上記と同様の効果を得ることが可能となる。尚、前記壁面シート４０ａおよび硬質スポンジ４０ｅの素材等については、上述の壁面シート４ａおよび硬質スポンジ４ｅと同様である。
【００２９】
［他の実施形態］
以上のように、上記実施形態に係る受水袋付き医療用ドレープ１では、受水袋４，４０の底面シート４ｃ，４０ｃを基布２に貼着することによって１枚の受水袋付き医療用ドレープを構成しているが、受水袋付き医療用ドレープの他の実施形態としては、以下のようなものが挙げられる。
【００３０】
まず、図６に示す第二実施形態に係る受水袋付き医療用ドレープ１０には、患者の全身を覆い得る程度の大きさを有する基布２に基布開窓部３が設けられ、さらにこの基布開窓部３の上方を覆うように受水袋４１が設けられている。前記基布２は、第一実施形態と同様、菌やウィルスに対してバリヤー性が高く且つ撥水加工が施された不織布、あるいは完全防水性であるフィルムから成るものである。また、前記基布開窓部３についても、第一実施形態と同様、各辺が外側に凸の円弧状曲線の略三角形形状となっており、略三角形形状の基布開窓部３周辺には、下面に粘着剤の付いたフィルムが設けられている。
【００３１】
ここで、第二実施形態に係る受水袋付き医療用ドレープ１０の受水袋４１は、上底が下に凸の円弧状曲線となっている略台形形状の４枚の壁面シート４１ａと、受水袋４１の開口部４１ｄを形成する円形の硬質スポンジ４１ｅとから成り、各壁面シート４１ａは、図６のようにそれぞれ隣接する壁面シート４１ａ同士の斜辺がくっついた状態で、前記基布開窓部３を囲うように前記基布２に配設されている。このように配設されることで、各壁面シート４１ａの円弧状曲線状の上底により円形の開口部４１ｄが形成される。そこで、上述の如く形成された円形の開口部４１ｄに前記硬質スポンジ４１ｅを接着することにより、円形が保持され且つ型くずれしない受水袋４１の開口部４１ｄが形成される。この硬質スポンジ４１ｅの使用により、受水袋４１の開口部４１ｄは、外力を加えることによって変形可能であり、且つ加えられた外力を開放することによって元の円形に戻ることができる構成となっている。また、前記円形硬質スポンジ４１ｅの材質，構成および前記壁面シート４１ａの材質については第一実施形態と同様である。
【００３２】
こうして図６のように構成された受水袋付き医療用ドレープ１０を、医療従事者は第一実施形態と同様の手順で使用することにより、第一実施形態と同様の効果を得ることができる。尚、このような受水袋４１においても、上述と同様に、少なくとも１個のポート状の排出手段を受水袋４１に設けても良い。
【００３３】
尚、上記実施形態における受水袋４１は、４枚の壁面シート４１ａを用いて構成されているが、壁面シートの枚数はこれに限定されるものではなく、最低２枚の壁面シートを用いて上述の如く構成することによっても、上記と同様の立体的形状の受水袋を構成することができる。
【００３４】
また、第三実施形態として、上記の受水袋付き医療用ドレープにおける受水袋の構成を円錐台形状にしても良い。具体的には、この円錐台形状の受水袋４２は、同心円状の円形孔を有する１枚の円形の壁面シート４２ａと、受水袋４２の上方に開口部４２ｄを形成するための円形の硬質スポンジ４２ｅとから成り、壁面シート４２ａの周縁を、当該周縁が基布開窓部３を囲うように前記基布２に固着させることによって、壁面シート４２ａの円形孔が受水袋４２の上方に円形の開口部４２ｄを形成させ、さらに形成された円形の開口部４２ｄに前記硬質スポンジ４２ｅを接着することにより、円形が保持され且つ型くずれしない受水袋４２の開口部４２ｄが形成され、その結果、図７のような受水袋付き医療用ドレープ１１が構成されることとなる。
【００３５】
以上のような構成によって得られる、上面に開口部４２ｄを有し且つ下面に基布開窓部３を有する中空の円錐台形状の受水袋４２によっても、上記と同様の効果を得ることが可能となる。尚、このような受水袋４２においても、上述と同様に、少なくとも１個のポート状の排出手段を受水袋４２に設けても良い。
【００３６】
【発明の効果】
以上述べたように、本発明の受水袋付き医療用ドレープによれば、手術時に患者の手術箇所から血液，体液が多量に流出する手術や、生理食塩水を多量に使用する手術を行う場合においても、医療従事者が状況に応じて受水袋を立体的形状にできるため、上記液体の受水を確実に行うことが可能となる。また、この受水袋を医療従事者が上方から押し潰すことでこの受水袋を容易に平面的形状にすることができるため、医療従事者の手技の邪魔になることもなくなる。このように本発明の受水袋付き医療用ドレープによれば、手術の進行を妨げることなく、血液，体液，生理食塩水等を確実に受水するという効果を達成することが可能となる。
【図面の簡単な説明】
【図１】本発明の一実施形態に係る受水袋付き医療用ドレープの構成を示す図である。
【図２】第一実施形態に係る受水袋付き医療用ドレープ１における受水袋の構成を示す図である。
【図３】第一実施形態に係る受水袋付き医療用ドレープ１における受水袋が平面的形状になっている状態を示す図であり、図３（ａ）は平面的形状の状態の受水袋付近の断面図，図３（ｂ）は上面図である。
【図４】本発明の第一実施形態に係る受水袋付き医療用ドレープにおける受水袋の他の構成例を示す図である。
【図５】本発明の第一実施形態に係る受水袋付き医療用ドレープにおける受水袋の他の構成例を示す図である。
【図６】本発明の第二実施形態に係る受水袋付き医療用ドレープの構成を示す図である。
【図７】本発明の第三実施形態に係る受水袋付き医療用ドレープの構成を示す図である。
【符号の説明】
１…受水袋付き医療用ドレープ、２…基布、３…基布開窓部、４…受水袋、４ａ…壁面シート、４ｂ…底面開窓部、４ｃ…底面シート、４ｄ…開口部、４ｅ…硬質スポンジ、５…排出手段。
【図１】
2004159977.tif 000003
【図２】
2004159977.tif 000004
【図３】
2004159977.tif 000005
【図４】
2004159977.tif 000006
【図５】
2004159977.tif 000007
【図６】
2004159977.tif 000008
【図７】
2004159977.tif 000009